(57)【要約】      （修正有）【課題】ＬＥＤ灯の散熱性を良くし、機械設備で生産するに際し、生産効率を大幅に上げてコストダウンを図れる大効率のＬＥＤ灯を提供する。【解決手段】一つの熱伝導絶縁性の基板１０と、基板に嵌め込まれた、基板と厚みが同じでＬＥＤを搭載した熱伝導柱２０を含む。熱伝導柱の下は散熱パネル２１と連接し、熱伝導柱の上表面に順次にチップと透明カバー２３を固定している。基板の表面に電路と電極を設置し、フチに電路通過する穴１１を設置し、穴の底に電気伝導用の電極チップ１２を連結し、さらに透明カバーに透視鏡１３をつけてある。【選択図】図１
2010258397.tif 000002
【特許請求の範囲】
【請求項１】
大効率のＬＥＤ灯、特性は一個熱伝導絶縁の基板と基板の厚さと同じ基板の中にはめ込んでいる熱伝導の柱を含む、上表面に順次はチップと透明カバーを固定している；基板の表面に電路と電極を設置している、フチに電路通過する穴を設置している、穴のそこに電気伝導用の電極チップを連結する、それに透明カバーに透視鏡をつけてあることを特徴とする大効率のＬＥＤ灯。
【請求項２】
前記特性は熱伝導の柱の底面は同じ平面内にある、多数の線か曲線首尾順番に連結して平行で組んでいる図形であることを特徴とする請求項１に記載の大効率のＬＥＤ灯。
【請求項３】
前記特性は透明カバーは上大下小の逆さま状態な円錐形、表明は蛍光体をつけてある、内壁上部は滑らかに毛管現象がないことを特徴とする請求項１に記載の大効率のＬＥＤ灯。
【請求項４】
前記特性は基板の上表面に反射材をメッキしていることを特徴とする請求項１に記載の大効率のＬＥＤ灯。
【請求項５】
前記特性は透視鏡の材料はシリカであることを特徴とする請求項１に記載の大効率のＬＥＤ灯。
【請求項６】
前記特性は熱伝導柱は立方体であることを特徴とする請求項２に記載の大効率のＬＥＤ灯。
【発明の詳細な説明】
【技術分野】
【０００１】
当発明は半導体照明エリアを及ぶ、もっと具体的な説明というと、大効率のＬＥＤ灯を及ぶ。
【背景技術】
【０００２】
ＬＥＤ（Ｌｉｇｈｔ Ｅｍｉｔｔｉｎｇ Ｄｉｏｄｅ）、発光ダイオードともいう、新型な光源として、メリットは：体積小さい、小エネルギー、適用性強い、安定性高い、応答時間短い、環境には汚染ない、多色発光等等、照明インテリアエリアに広く使われている。大効率のＬＥＤ光源としての灯、その発光効率高い、省エネ、エコなどのメリットがある。
【０００３】
しかし、今現有の中大効率ＬＥＤは大体直入式、貼り付け式、ビニールＴＯＰの枠式構造、商品の散熱性よくない、密封性悪い、高速崩壊、光効率低い。ＬＥＤは照明応用エリア発展とは不適応。
【発明の概要】
【発明が解決しようとする課題】
【０００４】
当発明解決しようとしている技術問題は、現有技術の上で前述べた欠陥に大効率ＬＥＤ灯を提供する。
【課題を解決するための手段】
【０００５】
当発明は技術問題を解決する採用した技術案は：大効率のＬＥＤ灯を設計する、一個熱伝導絶縁の基板と基板の厚さと同じ中にはめ込んでいる熱伝導の柱を含む、柱の下表面にラジェーター（散熱パネル）と連接している、上表面に順次にチップと透明カバーを固定している；基板の表面に電路と電極を設置している、フチに電路通過する穴を設置している、穴のそこに電気伝導用の電極チップを連結する、それに透明カバーに透視鏡をつけてあり。柱は銅、銀、合金などの高熱伝導の材料を使えられる。基盤は炭化アルミニウム、セラミックス、シリコンベースのパネルなど熱伝導絶縁材料を使えられる。
【０００６】
前技術より改新すると、大効率ＬＥＤ灯、熱伝導の柱の底面は同じ平面内にあり、多数の線か曲線首尾順番に連結して平行に組んでいる図形である。熱伝導柱は立方体、円柱、円錐形の錐体を使えられる。
【０００７】
前技術より改新すると、大効率ＬＥＤ灯、透明カバーは上大下小の逆さま状態な円錐体、表面は蛍光粉をつけてある、内壁上部は滑らかに毛管現象ない。
【０００８】
前技術より改新すると、大効率ＬＥＤ灯の基板上表面には反射材をめっきしている。
【０００９】
前技術より改新すると、大効率ＬＥＤ灯の透視鏡の材料はシリカ、シリカ材料は優良な熱伝導性がある。
【００１０】
前技術より改新すると、大効率ＬＥＤ灯の柱は長方体。
【００１１】
当発明大効率ＬＥＤ灯を実施すると、下記どおりな有益効果がある：
（１）熱伝導柱は高熱伝導材を使われている、下には散熱パネルと連結している、チップ発光して産生した熱を速やかに導出することができる、チップ品質の安定性を保証している。
【００１２】
（２）基板は炭化アルミニウム、セラミックス、シリコンベースのパネルなど熱伝導絶縁材料を使えられる、熱伝導早いだけではなく、全体絶縁している、直接パネルの上に電路と電極を製作することができる、コストダウンとなる。平らパネルの設計はチップの発光角度が大きい、出光効率も高い。
【００１３】
（３）基板上の設計と電極の単独連接の穴を通すと、電路を裏面に引っ張られる、それに熱伝導と導電の部分の分離することができて、製品の安定性を上げる。
【００１４】
（４）基板のメッキアルミナなどの反射材は、ＬＥＤチップのそこ部分の光るを正面に反射することができ、光の利用効率と出光率を上げる。
【００１５】
（５）熱伝導柱の表面に透明カバーを固定しておる、上大下小の逆さま状態の円錐形、ある程度な角度を持っている、蛍光粉をつけるときに便宜を提供する、同時に透明材はチップの横面の光を透き通れる、出光効率を増えた。楕円形透明カバーの内壁上部には毛管現象なし、光を平均できて、ロット一致させれる、視覚効果が好い。
【００１６】
（６）透視鏡は安定性と散熱性良好なシリカ材を使われている、一括成型なパネルの上で、優れた点は二つ：１、透視鏡として使われて、違う楕円形を作られ、違うＬＥＤ発光効果となる；２、チップの密封と保護の作用を生じる、ＬＥＤチップと蛍光粉を酸化あるいは損害されない。
【００１７】
（７）当発明は独特な構造、伝統的なＬＥＤ灯デザインを突破する、製品の安定性、一致性を上げた、その上に、機械設備で生産している、生産効率を上げて、コストダウンになる。
【図面の簡単な説明】
【００１８】
【図１】当発明大効率ＬＥＤ灯の構造分解回路図である。
【図２】当発明大効率ＬＥＤ灯の実施例の構造図回路図である。
【図３】当発明大効率ＬＥＤ灯の実施例の横顔図である。
【図４】当発明大効率ＬＥＤ灯の実施例の仰ぎ見る図である。
【発明を実施するための形態】
【００１９】
図面表示通りに、当大効率ＬＥＤ灯の実施例中には、１つ熱伝導絶縁の基板１０と厚み同じ基板１０に嵌め込んでいる熱伝導柱２０を含む、熱伝導柱２０は長方体である、その下に散熱パネル２１と接続している、上面順番は固定チップ２２と透明カバー２３；基板１０の上には電路と電極を設置している、ふちは電路通過する穴１１で、穴１１の底部分は導電の電極チップ１２を連結する、熱伝導柱２０の散熱パネル２１と隔てる、熱伝導と導電の部分を分けて、透明カバー２３の上に透視鏡１３をつけてある。
【００２０】
透明カバー２３は上大下小の逆さま状態の円錐体、表面には蛍光粉をつけてある、透明カバー２３の上部内壁に特殊な処理をし、内壁上部分は滑らかに毛管現象なし。なぜなら毛管現象は光の平均性とロット一致性を影響がある、外観不良となりやすいだからです。基板１０の上表面メッキアルミナなど反射材はＬＥＤチップのそこ部の光を正面に反射させる、光の利用効率と出光率を上げれる。
【００２１】
透視鏡１３は熱伝導優良なシリカ材料を採用されている、一括成型で基板１０の上につけられ、作用は下記の二つ：１、透視鏡として使われて、違う楕円形を作られ、違うＬＥＤ発光効果となる；２、チップの密封と保護の作用を生じる、ＬＥＤチップと蛍光粉を酸化あるいは損害されない。
【００２２】
まとめると、本技術エリア内普通技師が理解できるように、当取扱説明書に述べたただ当発明の一ついい実施例です、当発明のアイデアでの改造あるいは修飾すべては当発明の権利要求保護範囲内とされる。
【符号の説明】
【００２３】
１０  基板
１１  穴
１２  電極チップ
１３  透視鏡
２０  熱伝導柱
２１  散熱パネル
２２  固定チップ
２３  透明カバー
【図１】
2010258397.tif 000003
【図２】
2010258397.tif 000004
【図３】
2010258397.tif 000005
【図４】
2010258397.tif 000006